(57)【特許請求の範囲】
【請求項１】
既存建物の柱梁フレームの耐震補強として、同柱梁フレームの面内へ枠付き鉄骨ブレースを接着し増設する鉄骨ブレース接着工法において、
前記柱梁フレームの内側面に、前記枠付き鉄骨ブレースを形成する４辺の枠材を個別に接着剤により先行接着し、同接着剤が強度を発現した後に、隣接する２辺の枠材のガゼットプレート同士を鉄骨ブレースにより接合することを特徴とする、枠材接着先行組立式の鉄骨ブレース接着工法。
【請求項２】
既存建物の柱梁フレームの耐震補強として、同柱梁フレームの面内へ枠付き鉄骨ブレースを接着し増設する鉄骨ブレース接着工法において、
前記柱梁フレームを形成する下側の梁の上面及び左右の柱の内側面に、前記枠付き鉄骨ブレースを形成する３辺の枠材を個別に接着剤の強度の発現に好ましい大きさの隙間を開けて配置すること、
下辺と両側辺とで隣接する２辺の枠材のガゼットプレート同士を鉄骨ブレースの端部と高力ボルトで仮止めして枠材同士を仮接合すること、
前記枠材と下側の梁及び左右の柱との前記隙間に接着剤を注入し、同枠材と下側の梁及び左右の柱とを接着すること、
前記接着剤が強度を発現した後に、前記柱梁フレームの上側の梁の下面に、前記枠付き鉄骨ブレースを形成する残り一辺の枠材を接着剤の強度の発現に好ましい大きさの隙間を開けて配置し、上辺と両側辺とで隣接する２辺の枠材のガゼットプレート同士を鉄骨ブレースの端部と高力ボルトで仮止めして枠材同士を仮接合すること、
前記上辺の枠材と上側の梁との隙間に接着剤を注入して、同枠材と上側の梁とを接着し、その後全ての高力ボルトを本締めすることを特徴とする、枠材接着先行組立式の鉄骨ブレース接着工法。
【請求項３】
４辺の枠材はそれぞれガゼットプレートを備えた単一材であり、相互に接合していないことを特徴とする、請求項１又は２に記載した枠材接着先行組立式の鉄骨ブレース接着工法。
【発明の詳細な説明】
【０００１】
【発明の属する技術分野】
この発明は、既存建物の所謂「居ながら耐震補強」に採用される鉄骨ブレース接着工法の技術分野に属し、柱梁フレームの面内へ枠付き鉄骨ブレースを接着剤により先行接着して組立てる鉄骨ブレース接着工法に関する。
【０００２】
【従来の技術】
従来、既存建物の所謂「居ながら耐震補強」を実現する手法として、施工時に騒音の原因となるアンカー打ちを略省略できる「接着工法」が開発され多くの実績を積み重ねている。例えば、特開平１１−７１９０６号公報に記載の「耐震補強の鉄骨ブレース増設工法」が公知に属する。
【０００３】
前記の「耐震補強の鉄骨ブレース増設工法」は、枠付き鉄骨ブレースを、既存建物の柱梁フレームとの間にはめ込み作業上必要な隙間を確保した大きさに地組みし、柱梁フレームの面内へ建込んだ後に、前記柱梁フレームとその面内へ建込んだ枠付き鉄骨ブレースの周辺枠との隙間に接着剤を注入して、柱梁フレームへ枠付き鉄骨ブレースを接着する工法である。
【０００４】
【発明が解決しようとする課題】
上記従来の「耐震補強の鉄骨ブレース増設工法」は、工場製作した枠付き鉄骨ブレースを現場で地組みできるように適切に分割した構造とし、現場でのジョイントを含む構成とされるから、加工工数が多い工作物となる。また、現場での組立てにそれなりの広い作業スペースを必要とするし、高力ボルトによるジョイントが接着面に突出して障害になる上に多大な手間がかかる。
【０００５】
枠付き鉄骨ブレースを柱梁フレームの面内へスムーズに建込むためには、それなりに大きな隙間（具体的には、５０mm〜１００mm程度）を必要とし、そのため接着強度が低下する。接着剤の接着強度を発現させるためには、できるだけ上記隙間を小さく（理想的には、１０mm程度）する必要がある。前記大きな隙間を埋めるために多量の接着剤を必要とするので、コストが嵩む。
【０００６】
従って、本発明の目的は、鉄骨部材の加工工数が少なく、ほとんど生の単一材を使用でき、現場サイトでの地組み作業を一切必要とせず、よって限られた狭いスペースでも容易に少ない工数で施工できる、枠材接着先行組立式の鉄骨ブレース接着工法を提供することである。
【０００７】
【課題を解決するための手段】
上述の課題を解決するための手段として、請求項１に記載した発明に係る枠材接着先行組立式の鉄骨ブレース接着工法は、
既存建物の柱梁フレームの耐震補強として、同柱梁フレームの面内へ枠付き鉄骨ブレースを接着し増設する鉄骨ブレース接着工法において、
前記柱梁フレームの内側面に、前記枠付き鉄骨ブレースを形成する４辺の枠材を個別に接着剤により先行接着し、同接着剤が強度を発現した後に、隣接する２辺の枠材のガゼットプレート同士を鉄骨ブレースにより接合することを特徴とする。
【０００８】
請求項２に記載した発明に係る枠材接着先行組立式の鉄骨ブレース接着工法は、
既存建物の柱梁フレームの耐震補強として、同柱梁フレームの面内へ枠付き鉄骨ブレースを接着し増設する鉄骨ブレース接着工法において、
前記柱梁フレームを形成する下側の梁の上面及び左右の柱の内側面に、前記枠付き鉄骨ブレースを形成する３辺の枠材を個別に接着剤の強度の発現に好ましい大きさの隙間を開けて配置すること、
下辺と両側辺とで隣接する２辺の枠材のガゼットプレート同士を鉄骨ブレースの端部と高力ボルトで仮止めして枠材同士を仮接合すること、
前記枠材と下側の梁及び左右の柱との前記隙間に接着剤を注入し、同枠材と下側の梁及び左右の柱とを接着すること、
前記接着剤が強度を発現した後に、前記柱梁フレームの上側の梁の下面に、前記枠付き鉄骨ブレースを形成する残り一辺の枠材を接着剤の強度の発現に好ましい大きさの隙間を開けて配置し、上辺と両側辺とで隣接する２辺の枠材のガゼットプレート同士を鉄骨ブレースの端部と高力ボルトで仮止めして枠材同士を仮接合すること、
前記上辺の枠材と上側の梁との隙間に接着剤を注入して、同枠材と上側の梁とを接着し、その後全ての高力ボルトを本締めすることを特徴とする。
【０００９】
請求項３記載の発明は、請求項１又は２に記載した発明に係る枠材接着先行組立式の鉄骨ブレース接着工法において、
４辺の枠材はそれぞれガゼットプレートを備えた単一材であり、相互に接合していないことを特徴とする。
【００１０】
【本発明の実施形態及び実施例】
図１（Ａ）、（Ｂ）は、請求項１記載の枠材接着先行組立式の鉄骨ブレース接着工法の実施形態を示している。この枠材接着先行組立式の鉄骨ブレース接着工法は、既存建物の柱梁フレーム１、２の耐震補強として好適に実施される。本発明の場合、既存建物の柱梁フレーム１、２の面内へ枠付き鉄骨ブレースの枠材を接着剤により先行接着して組立てる。
【００１１】
図２は、第１段階として既存建物の柱梁フレーム１、２の内側面に、前記枠付き鉄骨ブレースを形成する４辺の枠材３…を個別に接着剤４により先行接着した工程を示している。
【００１２】
前記４辺の枠材３…はそれぞれガゼットプレート３ａ、３ｂを備えた単一材であり、前記４辺の枠材３…を構成する上、下辺の枠材３、３は、梁１の長さよりも若干短いＴ形鋼から成り、両側辺の枠材３、３は、柱２の長さよりも若干短いＴ形鋼から成り、共に中間部位に鉄骨ブレース接合用のガゼットプレート３ａ、３ｂが設けられている。前記の各枠材３…は相互に接合されることなく、バラバラの関係で柱梁フレーム１、２の面内へ接着される（請求項３記載の発明）。
【００１３】
具体的には、前記下辺の枠材３の下面に、接着剤の強度の発現に好ましい大きさの隙間を確保する隙間保持板７、７を溶接等の手段で設けて、同隙間保持板７、７を間に挟むように前記枠材３を下側の梁１の上面に配置する。そして、前記隙間に接着剤４を注入して下側の梁１と枠材３とを接着する。
【００１４】
同様に、左右の柱２、２の内側面と対峙する側辺の枠材３、３の鉄骨面、及び上辺の枠材３の上面にも、隙間保持板７、７をそれぞれ設け、同隙間保持板７、７を間に挟むように前記枠材３を柱２及び上側の梁１に配置する。そして、前記隙間に接着剤４を注入して枠材３と柱２及び上側の梁１とを接着する。この時、図示は省略したが、前記枠材３が所定の位置に止まり、倒れたり滑り落ちないように、同枠材３に支持手段（仮ボルト）を設ける。
【００１５】
前記接着剤４が強度を発現した後、隣接する２辺の枠材３、３のガゼットプレート３ａ、３ｂ同士を、２本の溝形鋼を背中合わせに使用した鉄骨ブレース５により接合し、図１（Ａ）に示した耐震補強を完成する。具体的には、前記鉄骨ブレース５の一方の端部を、上辺又は下辺の枠材３のガゼットプレート３ａに嵌め込み、高力ボルト６で仮接合し、他方の端部を、隣接する側辺の枠材３のガゼットプレート３ｂと高力ボルト６で仮接合し、最終的に調整したあと本締めして前記鉄骨ブレースを完成する。図１（Ｂ）はボルト接合部の詳細を示している。
【００１６】
この鉄骨ブレース接着工法は、枠材３…を柱梁フレーム１、２の面内へ個別に先行接着するので、現場サイトでの地組み作業を必要とせず、限られた狭いスペースでも容易に施工することができる。
【００１７】
また、前記枠材３…にはほとんど生材を使用でき、鉄骨材料の加工が少なくて済み、少ない工数で施工することができる。
【００１８】
なお、上記実施形態では、柱梁フレーム１、２に枠付き鉄骨ブレースを形成する４辺の枠材３…を先行接着し、その後隣接する枠材３、３同士を鉄骨ブレース５で接合しているが、この限りではない。具体的には、以下に示す枠材接着先行組立式の鉄骨ブレース接着工法でも実施可能である。
【００１９】
図３〜図６は、請求項２記載の枠材接着先行組立式の鉄骨ブレース接着工法の実施形態を示し、請求項１記載の鉄骨ブレース接着工法と同様に、既存建物の柱梁フレーム１、２の耐震補強として好適に実施される。なお、本実施形態も４辺の枠材３…はそれぞれガゼットプレート３ａ、３ｂを備えた単一材であり、前記４辺の枠材３…を構成する上、下辺の枠材３、３は、梁１の長さよりも若干短いＴ形鋼から成り、両側辺の枠材３、３は、柱２の長さよりも若干短いＴ形鋼から成り、共に中間部位に鉄骨ブレース接合用のガゼットプレート３ａ、３ｂが設けられている。前記の各枠材３…は相互に接合されることなく、バラバラの関係で柱梁フレーム１、２の面内へ接着される（請求項３記載の発明）。
【００２０】
図３は、前記枠付き鉄骨ブレースを形成する下側の梁１の上面に、枠付き鉄骨ブレースを形成する下辺の枠材３を接着剤の強度の発現に好ましい大きさの隙間を開けて配置した工程を示している。具体的には、前記下辺の枠材３の下面に、接着剤の強度の発現に好ましい大きさの隙間を確保する隙間保持板７、７を溶接等の手段で設け、同隙間保持板７、７を間に挟むように前記枠材３を下側の梁１の上面に配置する。
【００２１】
図４は、左右の柱２、２の内側面に、前記枠付き鉄骨ブレースを形成する両側辺の枠材３、３を接着剤の強度の発現に好ましい大きさの隙間を開けて配置し、下辺と両側辺とで隣接する２辺の枠材３、３のガゼットプレート３ａ、３ｂ同士を鉄骨ブレース５の端部と高力ボルト６で仮止めして枠材３、３同士を仮接合した工程を示している。具体的には、左右の柱２、２の内側面と対峙する側辺の枠材３、３の鉄骨面に、隙間保持板７、７をそれぞれ設け、同隙間保持板７、７を間に挟むように前記枠材３を柱２に配置する。この時、図示は省略したが、前記両側辺の枠材３、３が所定の位置に止まり、倒れたり滑り落ちないように、同枠材３、３に支持手段（仮ボルト）を設ける。
【００２２】
図５は、前記枠材３と下側の梁１及び柱２との隙間に接着剤４を注入して、同枠材３と下側の梁１及び柱２とを接着し、前記接着剤４が強度を発現した後に、柱梁フレーム１、２の上側の梁１の下面に、前記枠付き鉄骨ブレースを形成する残り一辺の枠材３を接着剤４の強度の発現に好ましい大きさの隙間を開けて配置した工程を示している。具体的には、上辺の枠材３の上面に、隙間保持板７、７を設け、同隙間保持板７、７を間に挟むように前記枠材３を上側の梁１の下面に配置する。なお、図示は省略したが、前記上辺の枠材３にも支持手段（仮ボルト）を設け、前記枠材３が落ちないように支持されている。
【００２３】
図６は、上辺と両側辺とで隣接する２辺の枠材３、３のガゼットプレート３ａ、３ｂ同士を鉄骨ブレース５の端部と高力ボルト６で仮止めして枠材３、３同士を仮接合した工程を示している。具体的には、前記上辺の枠材３のガゼットプレート３ａに鉄骨ブレース５の一端部を高力ボルト６で仮止めし、他端部を先に配置した側辺の枠材３のガゼットプレート３ｂに高力ボルト６で仮止めして隣接する上辺の枠材３と側辺の枠材３とを仮接合する。
【００２４】
その後、前記上辺の枠材３と梁１との隙間に接着剤４を注入して、同枠材３と梁１とを接着し、仮止めしていた全ての高力ボルト６…を最終的に調整したあと本締めし、耐震補強を完成する。
【００２５】
従って、請求項２記載の枠材接着先行組立式の鉄骨ブレース接着工法は、請求項１記載の鉄骨ブレース接着工法と同様に、枠材３…を柱梁フレーム１、２の面内へ個別に先行接着するので、現場サイトでの地組み作業を必要とせず、限られた狭いスペースでも容易に施工することができる。
【００２６】
また、前記枠材３…にはほとんど生材を使用でき、鉄骨材料の加工が少なくて済み、少ない工数で施工することができる。
【００２７】
なお、上記実施形態では、上述した施工手順により枠付き鉄骨ブレースを柱梁フレーム１、２の面内へ施工しているが、この限りではない。要するに、枠付き鉄骨ブレースを形成する枠材３…を接合することなく、バラバラの関係で接着剤４により柱梁フレーム１、２の面内へ接着すれば良く、施工手順は限定されない。従って、最終的に図１（Ａ）に示した状態に鉄骨ブレースが完成すれば良い。
【００２８】
【本発明が奏する効果】
請求項１〜３記載の枠材接着先行組立式の鉄骨ブレース接着工法は、枠材を柱梁フレームの面内へ個別に先行接着するので、現場サイトでの地組み作業を必要とせず、限られた狭いスペースでも容易に施工することができる。
【００２９】
また、前記枠材にはほとんど生材を使用でき、鉄骨材料の加工が少なくて済み、少ない工数で施工することができる。
【図面の簡単な説明】
【図１】Ａは、請求項１〜３記載の枠材接着先行組立式の鉄骨ブレース接着工法の実施形態を示した立面図である。Ｂは、Ａ図のＸ部を拡大して示した断面図である。
【図２】請求項１及び３記載の枠材接着先行組立式の鉄骨ブレース接着工法の施工途中の工程を示した立面図である。
【図３】請求項２及び３記載の枠材接着先行組立式の鉄骨ブレース接着工法の施工途中の工程を示した立面図である。
【図４】請求項２及び３記載の枠材接着先行組立式の鉄骨ブレース接着工法の施工途中の工程を示した立面図である。
【図５】請求項２及び３記載の枠材接着先行組立式の鉄骨ブレース接着工法の施工途中の工程を示した立面図である。
【図６】請求項２及び３記載の枠材接着先行組立式の鉄骨ブレース接着工法の施工途中の工程を示した立面図である。
【符号の説明】
１              既存建物の梁
２              既存建物の柱
３              枠材
３ａ、３ｂ      ガゼットプレート
４              接着剤
５              鉄骨ブレース
６              高力ボルト
７              隙間保持板
【図１】
0004475779.tif 000002
【図２】
0004475779.tif 000003
【図３】
0004475779.tif 000004
【図４】
0004475779.tif 000005
【図５】
0004475779.tif 000006
【図６】
0004475779.tif 000007